(57)【要約】【課題】  スムーズに開閉でき、第３骨の枢軸が露出しないと共に、傘カバーや使用者を傷つけることのない小型折り畳み式傘フレームを提供する。【解決手段】  互いに対向する２つの側骨が両側に夫々設けられると共に、一端が枢着端である第１骨と、Ｕ字溝が設けられ、一端に前記第１骨の枢着端と枢着されると共に、他端には先端に枢軸を備える枢設孔と当接板とを有する第２枢着部が設けられる第２骨と、一端に前記第２骨の枢設孔に枢設されるための長孔を有する連接部が設けられる第３骨と、前記第２骨のＵ字状溝に取り付けられ、一端が前記第１骨の一方の側骨と係合され、他端が前記第３骨の連接部の先端に枢着され、該他端の近傍に連続的に湾曲し、前記第２枢着部の範囲において突出する弓部が形成されるロッドと、を備えることを特徴とする。【選択図】  図１
0003136394.tif 000002
【実用新案登録請求の範囲】
【請求項１】
長手方向に沿って相対する２つの側骨が両側に夫々設けられ、一端に枢着端を有するコ字形の第1骨と、
長手方向に沿って、Ｕ字溝が設けられ、一端に前記第1骨の枢着端と枢着される第１枢着部が設けられると共に、他端に第２枢着部が設けられ、該第２枢着部の先端に当接板が設けられ、該当接板の近傍に枢設孔が設けられ、該枢設孔は、相対する２つの側面プレートを有し、該２つの側面プレートの間に１つの枢軸が設けられる第２骨と、
一端に前記第２骨の枢設孔に枢設される連接部が設けられ、該連接部は、相対する２つの連接部プレートを有し、該２つの連接部プレートに夫々長手方向の長孔が形成され、該長孔に第２骨の枢軸が位置する第３骨と、
前記第２骨のＵ字溝に取り付けられ、、一端が前記第１骨の一方の側骨と係合され、他端が前記第３骨の連接部の先端に枢着され、更に、該他端の近傍に連続的に湾曲し、第２枢着部の範囲において突出する弓部が形成されるロッドと、を備えることを特徴とする小型折り畳み式傘フレーム。
【請求項２】
前記第２骨のＵ字溝の一端における、第２枢着部の近傍に固定リングが設けられることを特徴とする請求項１に記載の小型折り畳み式傘フレーム。
【請求項３】
前記第３骨の連接部の先端に、前記ロッドを支持するためのスリットが形成され、該スリットにロッドを枢設するための枢軸が設けられ、第３骨における長孔の長手軸が前記三段骨の掛止枢軸と該三段骨の軸との間に位置されることを特徴とする請求項１に記載の小型折り畳み式傘フレーム。
【請求項４】
前記第１骨の一方の側骨における枢着端の近傍に、前記ロッドの一端を係合するための係合孔が形成されることを特徴とする請求項１乃至３の何れか１項に記載の小型折り畳み式傘フレーム。
【請求項５】
前記第１骨の一方の側骨における枢着端の近傍に突出部が設けられ、該突出部に前記掛止孔が形成されることを特徴とする請求項４に記載の小型折り畳み式傘フレーム。
【請求項６】
前記第２骨にロッドを位置させておくための脱落防止リングが設けられることを特徴とする請求項５に記載の小型折り畳み式傘フレーム。
【考案の詳細な説明】
【技術分野】
【０００１】
本考案は、特に小型折り畳み傘のフレームに関するものである。
【背景技術】
【０００２】
従来の三段式折り畳み傘は、小型であることから、携帯に便利であるが、展開時に、傘フレームの末端が裏返しの状態になり易く、裏返った傘フレームと乱れたカバーを手で直さなければ傘を完全に展開することができないので、非常に不便利であった。これらの問題を解決するために、その後、例えば中国特許ＣＮ２５０３７５０Ｙ号（特許文献１）、中国特許ＣＮ２２６４０２９４Ｙ号（特許文献２）、及び中国特許ＣＮ２６５９２０４Ｙ号（特許文献３）などの、傘フレームが裏返しにならずにスムーズに展開できる折り畳み傘に関する発明が案出された。
【０００３】
図６に示すように、特許文献１の発明では、第２骨（６１）が第３骨（６２）の枢着部（６３）に枢設され、該枢着部（６３）に緩衝溝（６３１）と掛止溝（６３２）とからなるＬ字形のガイド溝（６３０）が形成される。傘フレームを展開する時は、前記第２骨（６１）の枢着軸（６１１）が掛止溝（６３２）内に移動して回転し、該第２骨（６１）と第３骨（６２）が一直線となって完全展開しようとする時、該枢着軸（６１１）が掛止溝（６３２）から緩衝溝（６３１）に導かれるように移動する。
【０００４】
図７に示すように、特許文献２の発明においては、中段骨（７０）の内部に、一端が尾骨（７２）の接合部（７３）と連接されると共に、他端が下受け骨（７４）の内部に設けられるロッド部材（７５）と連接される摺動可能な弾性連接ロッド（７１）が設けられ、更に、該ロッド部材（７５）の一端は、下ロクロ（図示せず）の近傍に位置すると共に、スプリング（図示せず）と結合され、該スプリングは、中段骨（７０）及び尾骨（７２）が展開されて一直線となる時に弾性付勢力を提供する。
【０００５】
図８に示すように、特許文献３の発明では、長骨（８１）の接合部（８２）に、主溝（８３）の一端と枢着するための傾斜状の長孔（８２０）が形成される。
【特許文献１】中国特許ＣＮ２５０３７５０Ｙ号
【特許文献２】中国特許ＣＮ２６４０２９４Ｙ号
【特許文献３】中国特許ＣＮ２６５９２０４Ｙ号
【考案の開示】
【考案が解決しようとする課題】
【０００６】
しかしながら、前記特許文献１〜３の発明には夫々設計上の欠点がある。
【０００７】
例えば、特許文献１の発明にでは、掛止溝（６３２）と緩衝溝（６３１）とが成す角度では、枢着軸（６１１）がスムーズに掛止溝（６３２）から緩衝溝（６３１）内へ移動することができない。
【０００８】
又、特許文献２の発明では、構造が複雑であることから、製造が困難である。更に、該弾性連接骨（７１）の末端が湾曲し、前記ロッド部材（７５）と係合するためのフック部（７１０）に形成され、該フック部（７１０）の尖った末端が露出されているので、傘カバーを傷つける恐れがある。
【０００９】
また、特許文献３の発明は、傘を展開する時に、（該長孔（８２０）が傾斜であるから、）該主溝（８３）の一端が長孔（８２０）内においてスムーズに摺動することができないという欠点がある。
【００１０】
更に、図６〜８に示すように、特許文献１〜３の発明は、第２骨（即ち、特許文献２の中段骨及び特許文献３の主溝）の一端が第３骨の枢着部に枢着されると共に、該第３骨の枢着部を被覆する。この構成によれば、傘を折畳む時、前記枢着部の殆どが第２骨の一端に収容されるが、該枢着部の一部が突出すると共に、該突出する部分に、ロッド（例えば、特許文献２の弾性連接ロッド）と枢着するための枢軸が設けられる。故に、前記特許文献１〜３の何れの枢着部においても２つの枢軸（第２骨の一端に設けられた枢軸、及びロッドと枢着するための枢軸）が著しく露出しているので、美観に優れない。
【００１１】
そこで、案出されたのが本考案であって、開閉がスムーズであり、枢着部に枢軸が露出しないと共に、傘カバーを傷つけない小型折り畳み式傘フレームを提供することを目的としている。
【課題を解決するための手段】
【００１２】
本願の請求項１の考案は、長手方向に沿って相対する２つの側骨が両側に夫々設けられ、一端に枢着端を有するコ字形の第1骨と、
長手方向に沿って、Ｕ字溝が設けられ、一端に前記第1骨の枢着端と枢着される第１枢着部が設けられると共に、他端に第２枢着部が設けられ、該第２枢着部の先端に当接板が設けられ、該当接板の近傍に枢設孔が設けられ、該枢設孔は、相対する２つの側面プレートを有し、該２つの側面プレートの間に１つの枢軸が設けられる第２骨と、
一端に前記第２骨の枢設孔に枢設される連接部が設けられ、該連接部は、相対する２つの連接部プレートを有し、該２つの連接部プレートに夫々長手方向の長孔が形成され、該長孔に第２骨の枢軸が位置する第３骨と、
前記第２骨のＵ字溝に取り付けられ、一端が前記第１骨の一方の側骨と係合され、他端が前記第３骨の連接部の先端に枢着され、更に、該他端の近傍に連続的に湾曲し、第２枢着部の範囲において突出する弓部が形成されるロッドと、を備えることを特徴とする小型折り畳み式傘フレーム、を提供する。
【００１３】
本願の請求項２の考案は、前記第２骨のＵ字溝の一端における、第２枢着部の近傍に固定リングが設けられることを特徴とする請求項１に記載の小型折り畳み式傘フレーム、を提供する。
【００１４】
本願の請求項３の考案は、前記第３骨の連接部の先端に、前記ロッドを支持するためのスリットが形成され、該スリットにロッドを枢設するための枢軸が設けられ、第３骨における長孔の長手軸が前記三段骨の掛止枢軸と該三段骨の軸との間に位置されることを特徴とする請求項１に記載の小型折り畳み式傘フレーム、を提供する。
【００１５】
本願の請求項４の考案は、前記第１骨の一方の側骨における枢着端の近傍に、前記ロッドの一端を係合するための係合孔が形成されることを特徴とする請求項１乃至３の何れか１項に記載の小型折り畳み式傘フレーム、を提供する。
【００１６】
本願の請求項５の考案は、前記第１骨の一方の側骨における枢着端の近傍に突出部が設けられ、該突出部に前記掛止孔が形成されることを特徴とする請求項４に記載の小型折り畳み式傘フレーム、を提供する。
【００１７】
本願の請求項６の考案は、前記第２骨にロッドを位置させておくための脱落防止リングが設けられることを特徴とする請求項５に記載の小型折り畳み式傘フレーム、を提供する。
【考案の効果】
【００１８】
本考案は上記の課題を解決するものであり、該傘フレームを展開する時は、第１骨により第２骨を押し出し、ロッドを、第３骨を引っ張ることにより、第２枢着部の枢軸に対して回動させると共に、枢軸を長孔に沿って該長孔の一端にまで摺動させ、更にロッドの弓部の弾性付勢力により、第３骨を第２骨と一直線になるようにスムーズに回動させればよい。
【００１９】
又、前記第２骨の第２枢着部に枢設孔と掛止板が設けられると共に、前記第３骨の連接部が該枢設孔に枢設され、傘フレームが折畳まれた時、第３骨の連接部が第２枢着部の枢設孔の収容される。この時、前記第２骨の枢軸は露出するが、第３骨の枢軸は露出しないので、デザイン性に優れた傘フレームを提供できる。
【００２０】
更に、前記第３骨における長孔の長手軸が、該第３骨の枢軸と軸との間に位置するので、該第２骨が第３骨を押し出す時、或いは引っ張る時に発生する摩擦を低減することができる。
【００２１】
その上、前記ロッドの一端が第１骨の一方の側骨と係合される時、該ロッドの一端は側骨の外側から、第１骨における２つの側骨の間にまで延出するので、傘カバーや使用者を傷つけることがない。
【考案を実施するための最良の形態】
【００２２】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００２３】
図１は本考案に係る小型折り畳み式傘フレームの斜視図であり、図２は本考案に係る小型折り畳み式傘フレームの他の斜視図であり、図３は本考案に係る小型折り畳み式傘フレームの側面図であり、図４は本考案に係る小型折り畳み式傘フレームの他の側面図であり、図５は本考案に係る小型折り畳み式傘フレームの展開状態を示す側面図である。
【００２４】
図１乃至図３に示すように、本考案に係る小型折り畳み式傘フレームは、互いに連動するように枢着される第１骨（１０）と、第２骨（２０）と、第３骨（３０）と、上支持骨（４０）と、連接棒（４１）と、ロッド（５０）とからなり、該第１骨（１０）は両端を有し、その一端が傘（図面にない）の下ロクロ（図面にない）に枢設されると共に、他端が該第２骨（２０）と連接される枢着端（１００）である。
【００２５】
前記第１骨（１０）は、長手方向に沿って相対するする２つの側骨（符号なし）が両側に夫々設けられ、断面Ｕ字形のアルミ製やガラス繊維製であることが好ましい。また、前記上支持骨（４０）の一端は、第１骨（１０）の中央部における該２つの側骨内に枢着されると共に、該端の近傍には更に前記連接棒（４１）の一端が枢着される。
【００２６】
前記第１骨（１０）の一方の側骨における枢着端（１００）の近傍に、前記ロッド（５０）の一端を係合するための１つの係合孔（符号なし）を有する突出部（１１）が設けられ、該ロッド（５０）の一端は、２つの側骨の間に位置するように工夫されているので、傘カバーを傷つけることはない。尚、本考案では、前記ロッド（５０）の一端が湾曲し、一方の側骨の外側から突出部（１１）の掛止孔を通って、２つの側骨の間に延出されるのが好ましい。
【００２７】
前記第２骨（２０）は、長手方向に沿ってロッド（５０）を収容するためのＵ字溝（符号なし）が形成され、断面Ｕ字形のガラス繊維製であることが好ましい。更に、前記第２骨（２０）の一端に前記第１骨（１０）の枢着端（１００）をカバーするための、プラスチック射出成形により一体形状とした第１枢着部（２１）が被装されると共に、他端に第２枢着部（２２）が設けられ、該第１枢着部（２１）の中央部と先端には夫々突出状の枢設突出部（２１０）（２１１）が設けられ、その内、一方の枢設突出部（２１０）には前記第１骨（１０）を枢着するための枢設軸（符号なし）が設けられ、他方の枢設突出部（２１１）には前記連接棒（４１）の一端を枢着するための枢設軸（符号なし）が設けられる。
【００２８】
前記第２枢着部（２２）は、その先端に突出状の当接板（２２１）が設けられ、該当接板（２２１）の近傍に枢設孔（２２２）が形成され、該枢設孔（２２２）は、相対する２つの側面プレート（符号なし）を有し、該２つの側面プレートの間には、前記第３骨（３０）を枢着するための枢軸（符号なし）が設けられ、更に、前記第２骨（２０）のＵ字溝の一端における、第２枢着部（２２）の近傍に固定リング（２３）が設けられる。
【００２９】
前記第３骨（３０）は、その一端に前記第２骨（２０）の枢設孔（２２２）に枢設される連接部（３１）が設けられ、該連接部（３１）は、相対する２つの連接プレート（符号なし）を有し、該２つの連接プレートには夫々第２骨（２０）の枢軸と枢着する長孔（３１０）が形成される。又、前記連接部（３１）の先端にロッド（５０）を支持するためのスリット（符号なし）が形成されると共に、該スリットに前記ロッド（５０）の一端と係合する枢軸（符号なし）が設けられ、前記第３骨（３０）の長孔（３１０）の長手軸は、該第３骨（３０）の枢軸と第３骨（３０）の軸との間に位置する。
【００３０】
前記ロッド（５０）は、第２骨（２０）のＵ字溝に設置され、その一端は、前記第１骨（１０）の一方の側骨の突出部（１１）と係合されると共に、他端は、前記第３骨（３０）の連接部（３１）の先端に枢着される。更に、該ロッド（５０）における他端の近傍に連続的に湾曲してなり、弾力性付勢力を有する弓部（５１）が形成され、該弓部（５１）は、前記第２枢着部（２２）及び第３骨（３０）の連接部（３１）から突出する。
【００３１】
また、前記ロッド（５０）の第２骨（２０）のＵ字溝から脱落を防ぐために、該第２骨（２０）に脱落防止リング（２５）が設けられ、この脱落防止リング（２５）により、該ロッド（５０）は、第２骨（２０）のＵ字溝から脱落しないように位置される。
【００３２】
図４に示すように、傘フレームを展開する時は、第１骨（１０）により第２骨（２０）を押し出し、ロッド（５０）により第３骨（３０）を引っ張って第２枢着部（２２）の枢軸に対して回動させると共に、該枢軸を長孔（３１０）に沿って該長孔（３１０）の一端にまで摺動させる。その後、図５に示すように、前記ロッド（５０）の弓部（５１）の弾性力により、第３骨（３０）を第２骨（２０）と一直線になるようにスムーズに回動させる。又、前記第３骨（３０）の長孔（３１０）の長手軸は、該第３骨（３０）の枢軸と第３骨（３０）の軸との間に位置し、即ち、該連接部（３１）における前記ロッド（５０）と枢着される箇所（本実施例においては、該箇所は前記連接部（３１）の先端のスリットに設けられる掛止枢軸である。）が前記長孔（３１０）より第２枢着部（２２）の底（第２枢着部（２２）と二段骨のＵ字状溝の境界）に近接している。これにより、第３骨（３０）を引っ張る際、摩擦力が低減され、よりスムーズに傘フレームを展開することができる。
【００３３】
上述したように、本考案は、連接部（３１）に設けられ、第３骨（３０）の軸方向と平行する長孔（３１０）と、ロッド（５０）の弓部（５１）との構成により、スムーズに傘フレームを開閉することができる。
【産業上の利用可能性】
【００３４】
本考案は上記の構成を有するので、小型折り畳み式傘に用いた時、よりスムーズに傘フレームを開閉することができるので、小型折り畳み式傘の使用上の利便性を大幅に向上させることができる。
【図面の簡単な説明】
【００３５】
【図１】本考案に係る小型折り畳み式傘フレームの斜視図である。
【図２】本考案に係る小型折り畳み式傘フレームの他の斜視図である。
【図３】本考案に係る小型折り畳み式傘フレームの側面図である。
【図４】本考案に係る小型折り畳み式傘フレームの他の側面図である。
【図５】本考案に係る小型折り畳み式傘フレームの展開状態を示す側面図である。
【図６】中国特許公告ＣＮ２５０３７５０Ｙ号に係る小型折り畳み式傘フレームの一部側面図である。
【図７】中国特許公告ＣＮ２６４０２９４Ｙ号に係る小型折り畳み式傘フレームの一部斜視図である。
【図８】中国特許公告ＣＮ２６５９２０４Ｙ号に係る小型折り畳み式傘フレームの一部側面図である。
【符号の説明】
【００３６】
（１０）第１骨 （１００）枢着端
（１１）突出部 （２０）第２骨
（２１）第１枢着部 （２１０）枢設突出部
（２１１）枢設突出部 （２２）第２枢着部
（２２１）当接板 （２２２）枢設孔
（２３）固定リング （２５）脱落防止リング
（３０）第３骨 （３１）連接部
（３１０）長孔 （４０）上支持骨
（４１）連接棒 （５０）ロッド
（５１）弓部 （６１）第２骨
（６１１）枢着軸 （６２）第３骨
（６３）枢着部 （６３０）ガイド溝
（６３１）緩衝溝 （６３２）掛止溝
（７０）中段骨 （７１）弾性連接ロッド
（７１０）フック部 （７２）尾骨
（７３）接合部 （７４）下受け骨
（７５）ロッド部材 （８１）長骨
（８２）接合部 （８２０）長孔
（８３）主溝
【図１】
0003136394.tif 000003
【図２】
0003136394.tif 000004
【図３】
0003136394.tif 000005
【図４】
0003136394.tif 000006
【図５】
0003136394.tif 000007
【図６】
0003136394.tif 000008
【図７】
0003136394.tif 000009
【図８】
0003136394.tif 000010